(57)【要約】【課題】観察窓から本体内の内部装置の動きやゲルユニットやキャピラリ内に入リ込む気泡等の確認を近距離で行うようにして目視性を高め、特に補助照明を設置しなくても目視を行うことのできるようにする。【解決手段】本体内部に、キャピラリ６６とその恒温槽５１，キャピラリの測６０に隣接し、該測にレーザ光を照射する光学系５２,レーザ光を発振するレーザヘッド５３どそのレーザ電源５４，キャピラリにゲルを注入するポンプユニツト５５、および恒温槽の下部に配設され、キャピラリに試料を供給するオートサンプラーユニット５６，６２，６３，６４を備え、前記ポンプユニットと光学系と恒温槽とが一列に配置された形体を有し、本体は、Ｌ型形状部１３を有するカバーを備え、該カバーのＬ型形状部は、前記ポンプユニットと光学系と恒温槽との一列配置に対向する縦面カバー部１１と前記オートサンプラーユニットに対向する横面カバー部１２とで構成した。【選択図】図１
2006258823.tif 000002
【特許請求の範囲】
【請求項１】
キャピラリアレーと、前記キャピラリアレーの一端側に設けられるピペッティング部と、前記キャピラリアレーの他端側に設けられる測光部とを備えたキャピラリにおいて、
台板に少なくとも前記キャピラリアレーを真空パックラミネートしてカートリッジ化したこと
を特徴とするキャピラリ電気泳動分析装置のキャピラリ。
【請求項２】
キャピラリアレーと、前記キャピラリアレーの一端側に設けられるピペッティング部と、前記キャピラリアレーの他端側に設けられる測光部とを備えたキャピラリにおいて、
合体したときに内部に中空部を形成する一対の台板とキャピラリとからなり、前記中空部に前記キャピラリアレーをパックしてカートリッジ化したこと
を特徴とするキャピラリ電気泳動分析装置のキャピラリ。
【請求項３】
請求項２記載のキャピラリにおいて、
一方の台板に突起部が形成されて、該突起部にキャピラリアレーが引っかけられ、他方の台板に前記突起部の嵌め込み部が形成されて両台板を合体させること
を特徴とするキャピラリ電気泳動分析装置のキャピラリ。
【請求項４】
請求項３記載のキャピラリにおいて、
前記突起部および嵌め込み部は少なくともそれぞれ２つ形成されること
を特徴とするキャピラリ電気泳動分析装置のキャピラリ。
【請求項５】
請求項１または４記載の何れかのキャピラリにおいて、
前記板材にキャピラリ電気泳動分析装置に取り付けるためのガイド手段を備えたこと
を特徴とするキャピラリ電気泳動分析装置のキャピラリ。
【発明の詳細な説明】
【技術分野】
【０００１】
本発明は蛍光プライマー（標識として蛍光物質を化学結合させたプライマー）を用い試料を電気泳動させ、泳動途中でＤＮＡフラグメント試料からの蛍光を検出して塩基配列を決定するオンライン式のＤＮＡシーケンサ、特に、本発明は泳動ゲルを充填した複数のキャピラリを用いて複数の試料を同時に電気泳動させるキャピラリ電気泳動分析装置に関する。
【背景技術】
【０００２】
長大な塩基配列をもつＤＮＡの塩基配列決定には、高感度で、高速で、かつ大処理能力をもったＤＮＡシーケンサが必要となる。その１つの方法として、平板状のスラブゲルを用いたものに代わってゲルを充填したキャピラリを複数本配列したキャピラリ電気泳動分析装置が提案されている。キャピラリは、スラブゲルに比べて、試料の取扱いや注入が容易であるだけでなく、高速に泳動させて高感度で検出できる。
【０００３】
キャピラリ電気泳動分析装置は、特許文献１，特許文献２，特許文献３，特許文献４など数多くの文献に記述されている。
【０００４】
【特許文献１】特開平9−105738号公報
【特許文献２】特開平10−19845号公報
【特許文献３】特開平10−206384号公報
【特許文献４】特表公11−502624号公報
【発明の開示】
【発明が解決しようとする課題】
【０００５】
従来のキャピラリ電気泳動分析装置にあっては、筐体に内蔵されているポンプユニットや光学系と筐体に備えられた扉との間に空間領域が形成されており、前記扉に形成されている観察窓（確認窓ともいう。）から装置の庫内いわゆる本体内の内部装置の動きやゲルユニット、キャピラリ内に入り込んだ気泡等の確認が困難で、又光が本体内に十分に届かず、内部照明などの補助照明を設置するなどして始めて目視を行なえる状態にする必要がある場合もあった。
【０００６】
本発明は、かかる点に鑑み、観察窓から本体内の内部装置の動きやゲルユニットやキャピラリ内に入り込む気泡等の確認を近距離で行うようにして目視性を高め、特に補助照明を設置しなくても目視を行うことのできるキャピラリ電気泳動分析装置を提供することを目的とする。
【０００７】
更に本発明は、ポンプユニットや光学系の表面と前記扉との空間領域を狭くして、検査環境を容易に良好な状態に維持できるキャピラリ電気泳動分析装置を提供することを目的とする。
【０００８】
また、従来はキャピラリ本体を箱から取り出して作業者が恒温槽内に丁寧にセットしなければならず、装置には熟練を必要とし、作業が難しく時間を要していた。
【０００９】
本発明は、かかる点に鑑み、従来構成されていた搬送用の箱（パッケージ）を排除し、キャピラリ本体が収納された容器を直接恒温槽に装着することができ、作業を楽にしたキャピラリを提供することを目的とする。また、このようなキャピラリを組み込むことのできる恒温槽を備えたキャピラリ泳動分析装置を提供することを目的とする。
【課題を解決するための手段】
【００１０】
本発明は、Ｌ字の観察窓をセンター配置させ検査の流れを明確に確認可能とし、ポンプユニットや恒温槽からキャピラリまでを一列に配置し庫内の空間を小さくし庫内の温度の均一化による試料状態の安定供給を可能とした。
【００１１】
また、キャピラリのカートリッジ化や恒温槽までの扉の開放をも可能とし取り扱い性を向上させた。
【００１２】
本発明は、具体的には次に掲げる装置を提供する。
【００１３】
本発明は、キャピラリアレーと、前記キャピラリアレーの一端側に設けられるピペッティング部と、前記キャピラリアレーの他端側に設けられる測光部とを備えたキャピラリにおいて、台板に少なくとも前記キャピラリアレーを真空パックラミネートしてカートリッジ化したキャピラリ電気泳動分析装置のキャピラリを提供する。
【００１４】
本発明は、キャピラリアレーと、前記キャピラリアレーの一端側に設けられるピペッティング部と、前記キャピラリアレーの他端側に設けられる測光部とを備えたキャピラリにおいて、合体したときに内部に中空部を形成する一対の台板とキャピラリとからなり、前記中空部に前記キャピラリアレーをパックしてカートリッジ化したキャピラリ電気泳動分析装置のキャピラリを提供する。
【００１５】
本発明は、更に、一方の台板に突起部が形成されて、該突起部にキャピラリアレーが引っかけられ、他方の台板に前記突起部の嵌め込み部が形成されて両台板を合体させるキャピラリ電気泳動分析装置のキャピラリを提供する。
【００１６】
本発明は、更に、前記突起部および嵌め込み部は少なくともそれぞれ２つ形成されるキャピラリ電気泳動分析装置のキャピラリを提供する。
【００１７】
本発明は、更に、前記板材にキャピラリ電気泳動分析装置に取り付けるためのガイド手段を備えたキャピラリ電気泳動分析装置のキャピラリを提供する。
【発明の効果】
【００１８】
以上のように、本発明によれば、本体内の空間を小さくして、本体内各種装置の確認作業をやり易くし、特にゲルユニットあるいはオートサンプラーユニット内に入り込む気泡の確認が視認性の向上に伴ってやり易くなった。
【００１９】
また、恒温槽の扉の開放度が向上したことに伴って操作性が向上した。
【００２０】
また、カバーと恒温槽との間に存在する空間を小さくすることができ、この空間での空気対流を防止することによって、試料温度の均一化をはかることができるようになった。
【００２１】
また、本発明によれば、キャピラリをパック型のカートリッジ型にしたので操作性が向上し、キャピラリアレーをいちいち調整する必要がなくなったので作業を極めて楽なものとした。また、真空ラミネート型のパック型のカートリッジ型にすると軽くなり、しかも一段と簡便化されることになった。
【発明を実施するための最良の形態】
【００２２】
以下、本発明にかかる一実施例を図面に基づいて説明する。
【００２３】
図１は、全体概略構成を示す。図において、キャピラリ電気泳動装置(「ＤＮＡシーケンサ装置」ともいう。）は、キャピラリ電気泳動装置本体部（以下、「本体」という。）１と画面入出力処理装置２から構成され、両者は公知の手段によって接続される。これらは台座３の上に載置される。
【００２４】
本体１は、Ｌ（字）型形状部を有するカバー４を備える。Ｌ型とは本体１を左方から見た形状であり、右方から見れば逆Ｌ型を呈する。ここでは「Ｌ型」と統一して説明する。
【００２５】
画面入出力処理装置２は、通常の通り中央演算処理部（ＣＰＵ）５，キーボード６および入力装置７を有する。
【００２６】
図２は、本体を正面側から見た斜視図であり、図３は本体を裏面側から見た斜視図である。これらの図において、カバー４は、前面左カバー１１と前面右カバー１２とからなり、Ｌ型形状部１３を有し、その延長として垂直方向に下部カバー１４を備える。この下部カバー１４に連続した形で下カバー１５が本体１から取り外し可能に装着され、頭部に頭部カバー１６，側面に側部カバー１７，裏面に後部カバー１８が設けられている。
【００２７】
前面左カバー１１および前面右カバー１２はそれぞれ扉上部取って部１９，２０によって、あるいは扉用取って部２１，２２によって開放される。
【００２８】
前面左カバー１１にはその右端の一部にゲルユニット等を見るための観察窓３１がＬ型形状の前面左カバー１１の表面に沿ってＬ型形状に設けてあり、前面右カバー１２にはその左端の一部にピペッティング部等を見るための観察窓３２がＬ型形状の前面右カバー１２の表面に沿ってＬ型形状に設けてある。後述するように、観察窓３１は、ゲルユニットを観察（あるいは確認）するために縦方向に長く、そして観察窓３２は横方向に長く設けてある。
【００２９】
カバー４は、別の観点からみれば、縦面カバー部３３と横面カバー部３４とからなる。従って、別の観点から見れば、カバーのＬ型形状部は、縦面カバー部３３と横面カバー部３４とで形成され、縦面カバー部３３と横面カバー部３５に亘って前述のように２つの観察窓３１，３２が設けられることになる。尚、横面は水平のみばかりではなく傾斜した面をも意味する。
【００３０】
下カバー１５には電源インジケータ類３７，電源スイッチ３８が設けられる。後部カバー１８には通常の装置に同じく排気ファン３９，主電源スイッチ４０,電源及び通信ケーブル穴４１が設けられ、その一部に蓋４２が設けられる。図４は本体内部に配置される各種装置および配列の状況を示すもので詳細は省略してある。図において、本体内部に、キャピラリ（後述）とその恒温槽（オーブン）５１，キャピラリの測光部（後述）に隣接し、測光部にレーザ光を照射する光学系（光学器）５２，レーザ光を発振するレーザヘッド５３とそのレーザ電源５４，キャピラリにゲルを注入するためのポンプユニット５５および恒温槽５１の下部に配設され、キャピラリに試料を供給するオートサンプラー５６が設けられる。尚、光学系５２はブロックで示してあるが、詳細は図５に示される。恒温槽５１の側面に基板５７が設けられる。恒温槽５１は、電気泳動するときにキャピラリ６６を一定温度に保つための装置である。恒温槽５１の後方に電源ユニット５９が配置される。
【００３１】
尚、前記図４は本体内部の大まかな配置を説明するためであり、前記光学系５２は、図９で説明するレンズやフィルターやシャッターや光センサなどを総称して説明している。
【００３２】
このような装置構成において、ポンプユニット５５と光学系５２と恒温部５１は一列配置される。恒温部５１は長方体形状をなすが、その長手方向が一列配置方向と一致する。このような配列において、これらの装置は台座５８の上に配設されるが、台座５７の前面部分にはどの装置も配設されることはない。台座５７と右側方の位置にオートサンプラー５６が後述するようにして設けられる。
【００３３】
図５は恒温槽５１の扉を開いた状態での本体内部を示し、図６は使用されるキャピラリの１例を示し、図７は恒温槽５１の扉、すなわち恒温槽扉６１を閉じた状態での本体内部を示す。
【００３４】
これらの図において、恒温槽５１，光学系５２およびポンプユニット５５が横一列配置とされ、台座５８から後方に引き込まれて、すなわちＬ型形状部を有するカバー４の設置を許容するようにして配設される。恒温槽５１の下方にオートサンプラー５６が配設される。オートサンプラー５６は、図７に示すように、オートサンプラーＸＹＺ軸６２が設けられ、モータ駆動によってＸ，Ｙ，Ｚ３軸方向に移動可能とされる。
【００３５】
オートサンプラー５６上には、サンプルトレイ６３およびバッファタンク６４が載置され、オートサンプラーユニットを構成する。従って、サンプルトレイ６３およびバッファータンク６４はオートサンプラー５６によってＸ，Ｙ，Ｚ３軸方向に移動可能とされる。バッファータンク６４にはバッファ液（緩衝液）が貯められる。
【００３６】
サンプルトレイ６３とバッファタンク６４は、水平面内に並べられ、キャピラリアレー６７のピペッティング部６８に位置決めする水平奥行き方向（Ｘ方向）の移動と、バッファー液をピペッティング部に接触させたり、引き離したりするための垂直方向（Ｚ方向）の移動がなされる。また、バッファートレイ６５の下方に移動するために横方向（Ｙ方向）の移動がなされる。
【００３７】
バッファ液を通して下部電極（図示せず）からピペッティング部６８に試料注入用の電圧が印加される。このための白金電極が設けられる。サンプルトレイ６３には、例えば４８個の試料容器が備えられる。
【００３８】
恒温槽５１はキャピラリ配設のための突起部６５が設けてあってこれにキャピラリが設けられる。キャピラリ６６の１例を図７に示す。図に示すように、キャピラリ６６は、１例としての１６本からなるキャピラリアレー６７とこのキャピラリアレー６７の一端側に設けたピペッティング部６８と他端側に設けた測光部６９とから構成される。このような構成になるキャピラリ６６が恒温槽５１に装置される。図においては、ピペッティング部６８は下方に位置し、測光部６９が左側方に位置する構成とされている。
【００３９】
恒温槽５１に対向する形でポンプユニット５５が並設して配設してあり、恒温槽５１とポンプユニット５５との間に並置する形で光学系５２が配設される。
【００４０】
恒温槽５１とポンプユニット５５との間には後述するシリンジとキャピラリが取り付き、互いを連通する通路の形成されたゲルブロック７０、ゲルブロック７０を介してキャピラリ６６にゲルを注入するゲル注入シリンジ７１およびゲル注入シリンジ７１にゲルを補充するリザーバーシリンジ７２が配設してあり、ゲルブロック７０の下方にバッファージャー７３、そしてその下方にバッファージャートレイ７４が配設してある。バッファージャー７３には緩衝液が溜め込まれており、緩衝液内には電極が挿入され、電気泳動の際にグランド電位になる。
【００４１】
ゲル注入シリンダ７１からゲルブロック７０を介してゲルをキャピラリ６６に充填する。すなわちゲル充填キャピラリ６６を分析部として用いるが、ピペッティング部６８をバッファー液中に入れ、溶出してくるＤＮＡ断片に光を照射して蛍光を検出する。ゲルから溶出するＤＮＡ断片が拡散で広がり分離性能を低下させないように、バッファー液によるシースフロー（緩衝液流）が形成される。
【００４２】
図８は、本体の内部を右側面から見た図である。
【００４３】
測光部６９の側面方向（図示Ｙ方向）からは、レーザ７５，７６から出射されレーザ光が、レンズによって平行光束にコリメートされた上で、照射され、測光部６９中の分離された試料を励起する。レーザ７５，７６とレンズの間には、シャッタが設けられており、試料の励起を選択的に行えるようになっている。レーザ光照射によって発生した蛍光は、Ｙ軸方向に直交するＸ軸方向から取り出され、集光レンズ８２によって集光され、フィルタ８４によって検出すべき波長の光が選択され、さらに、結像レンズ８６によって、２次元ＣＣＤセンサ等の光センサ８８上に結像する。光センサ８８によって検出された信号は、信号処理装置である画面入出力処理装置２に送られ、信号処理され、蛍光の波長により末端塩基の種類を識別し、計測信号をもとに該酸試料の塩基配列が解析される。
【００４４】
ＤＮＡ（デオキシリボ核酸）の塩基配列の決定では、一般的に４波長の計測が行われる。各種大波長が、それぞれ、ＤＮＡ断片の末端の塩基の種類に対応するように、予め反応操作で蛍光色素が結合される。
【００４５】
バッファー液は測光部６９中を流れ、バッファージャー７３に流れ、バッファージャートレイ７４を介してバッファータンクに貯められる。
【００４６】
図５において、制御ボックス８０は制御基板（図示せず）を備え、ＣＤ投入口８１よりＣＤにより計測のための諸情報が入力される。制御ボックス８０は通常の装置と同じに、ＣＰＵ、光電子増倍管からの検出信号をデジタル信号に変換してＣＰＵに取り込むＡ／Ｄ変換器、ＣＰＵからの指示により各部と信号の授受を行なうＶφインターフェース、及び恒温槽５１の温度コントロールを行う温度コントローラを備えている。Ｉ／Φインターフェースは温度コントローラ、ポンプユニット５５の電源、試料注入用及び泳動用の高圧電源、走査機構のセンサー並びにモータ、オートサンプラーＸＹＺ軸６２のセンサー及びモータ，レーザ装置（レーザーヘッド５３，レーザー電源５４），インターロック用安全スイッチ、表示灯などと接続されている。ＣＰＵは図１に示す画面入出力処理装置２と接続され、データ処理が行なわれる。
【００４７】
試料注入後、オートサンプラーＸＹＺ軸６２が作動し、サンプルトレイ６３にピペッティング部６８のキャピラリアレー６７の端が浸され、電極に高電圧が印加されて泳動が開始される。泳動中はコンプレッションを起さないように恒温槽５１内は一定温度制御される。
【００４８】
泳動分離されたＤＮ断片が測光部６９を通過する際、光学系５２が走査されて試料を標識している蛍光物質からの蛍光が検出される。このとき、検出された蛍光による信号の強度比により、その蛍光標識が判別されて塩基が同定される。カバー４の縦面カバー部３３は、垂直方向に配置され、この垂直方向にオートサンプラー５６が位置する。縦面カバー部３３と恒温槽５１との間の空間領域９１はＬ型形状の採用によって極く狭い形状とされる。オートサンプラー５６はオートサンプラー室９２の領域に収納されるが、空間領域９１の体積はオートサンプラー室９２の領域に比べて小さくなり、温度上昇に伴なう空気の対流は図に示すようにオートサンプラー室９２の領域で主に生じ、空間領域９１に対する影響は少ない。また、オートサンプラー室９２の領域で生じる対流は小さいものであるから、熱の流れが非常に少なくなり、本体内の温度差の変化が均一化され、試料の安定したよい状態がデータとして得られることになる。
【００４９】
従来、筐体に形成された扉とポンプユニットや光学系との間に空間領域が形成され、この空間領域により庫内に対流が生じ、検査環境が不安定な状態にあったが、ポンプユニットや光学系の表面と前記扉との空間領域を狭くなるように形成することで、検査環境を容易に良好な状態に維持できるキャピラリ電気泳動分析装置が提供される。
【００５０】
図９は、カバー４の外観を示す。図に示すように、カバー４のＬ型形状部には前述したようにＬ型形状のゲルユニット観察窓３１およびピペッティング観察窓３２が形成される。ゲルユニット観察窓３１は、縦方向の観察窓部９３と平面状の観察窓部９４とから形成される。また、ピペッティング観察窓３２は観察窓部９５と観察窓部９４とから形成される。
【００５１】
カバー４は、横面カバー部３４に連続し、縦面カバー部３３と反対方向に延びる下部カバー１４を備え、下部カバー１４の一部にも前記Ｌ型形状の観察窓部９３′が延びて形成され、かつカバー４は左右方向に開放される前面カバー部１１と前面右カバー部１２から構成され、延びて形成された観察窓部９３′は、前面左カバー部１１に設けられ、ゲルユニットへの気泡の入り込み状態を監視する第１の観察窓部９４と、前面右カバー部１２に設けられ、オートサンプラーからキャピラリに流れる試料への気泡の入り込み状態を監視する第２の観察窓部９５とからなる。第１の観察窓部９４と第２の観察窓部９５とはそれぞれ前面左カバー部１１の右端に、そして前面右カバー部１２の左端に設けられているからあたかも１つの観察窓をなすようになり、オートサンプルから試料が吸引されゲルの注入までの一連の流れが連続して目視可能となり、視認性が確保される。
【００５２】
このように本体は、Ｌ型形状部を有するカバー４を備え、カバー４のＬ型形状部は、縦面カバー部３３と前記オートサンプラー５６に対向する横面カバー部３４とで構成され、縦面カバー部３３と横面カバー部３４にはＬ型形状の観察窓部９３，９３′が設けられて本体内の縦方向及び横方向を視認される。
【００５３】
第１の観察窓部９４からはゲルユニットであるゲルブロック７０，ゲル注入シリンジ７１およびリザーバーシリンジ７２，バッファージャー７３，バッファージャートレイ７４を観察することができ、第２の観察窓部９５からはサンプルトレイ６３およびバッファータンク６４のＸ，Ｙ，Ｚ軸方向への動き、およびピペッティング部６８の試料の吸引状況を観察することができる。前述のように第１の観察窓部９４と第２の観察窓部９５は連続して一体化されているからサンプルトレイ６３とバッファータンク６４が前面左カバー１１，前面右カバー１２を超えてＹ方向に移動するのを観察するのに便利である。また、ゲルユニット、キャピラリ６６に入り込む気泡を観察し、確認することができる。尚、第２の観察窓部９５はピペッティング部６８とキャピラリアレー６７の一部が観察されれば足り、恒温槽５１に対応するカバーには設けられない。従って、第２の観察窓部９５は第１の観察窓部９４よりも高さが低いものとなるが、Ｙ方向の観察を楽に行うためにＹ方向には長い形状としてある。図１０は、図９を横方向から見た断面図である。図１１は、観察窓部９３の詳細を示す。Ｌ型形状部に形成されたＬ型形状の観察窓部９３は、外面が透明板９６、内面が金属メッシュ材９７によって作られる。これらはカバーの鉄板９８に取り付けられる。金属メッシュ材９７と鉄板９８とは電磁波をシャットする。この場合にあっても、透過性は確保される。
【００５４】
図１０に示すように光学系５２，ゲルブロック７０などのゲルユニットの縦配列の装置、ならびにオートサンプラー５６，サンプルトレイ６３，バッファータンク６４などのオートサンプラユニットの横配列でＸ，Ｙ，Ｚ軸方向に移動する装置を縦面カバー部３３，横面カバー部３４に設けた観察窓部９３を介して直ちに見ることができ、視認性が確保される。
【００５５】
このように、観察窓部９３から本体内部の光学系５２，ゲルユニット７１等あるいはサンプルトレイ６３，バッファトレイ６４までの距離が近くなり、内部メカの動きやゲルユニット７１やキャピラリに入り込む気泡の確認が近距離でかつ光が十分にとどき、他の補助光なしに十分に目視が可能になる。
【００５６】
図１２は、前面左カバー１１、前面右カバー１２が点線１００のように全面開放され、また恒温槽５１の扉（恒温槽扉）６１が開放される状況を示す。
【００５７】
このように、ポンプユニット５５，光学系５２，恒温槽５１(キャピラリ６６)を一列に配設し、本体内の空間を小さくすると共に、前面左カバー１１，前面右カバー１２を全面開放するようにして操作者１０１の手１０２の操作範囲が装置全体にリーチすることができるようにして操作性を向上させた。
【００５８】
カバー４は、前面左カバー１１と前面右カバー１２とからなり、該前面左カバーおよび前面右カバーはそれぞれ本体に設けたヒンジにより開放され、前記一列に配置したポンプユニット５５と光学系５２と恒温槽５１のいずれもを前方方向（操作方向）に取り出す開口部１０３が形成される。
【００５９】
以上のようにＬ型形状部を有するようにカバー４を形成し、これにＬ型形状の観察窓９３を設けることによって、次のような構成を提供し、効果を得ることができるようになった。
【００６０】
本体内部に、キャピラリとその恒温槽、キャピラリの測に隣接し、該測にレーザ光を照射する光学系、レーザ光を発振するレーザヘッドとそのレーザ電源、キャピラリにゲルを注入するポンプユニット、および恒温槽の下部に配設され、キャピラリに試料を供給するオートサンプラーユニットを備え、前記ポンプユニットと光学系と恒温槽とが一列に配置された形体を有し、本体は、Ｌ型形状部を有するカバーを備え、該カバーのＬ型形状部は、縦面カバー部と前記オートサンプラーユニットに対向する横面カバー部とで構成され、該縦面カバー部と横面カバー部にはＬ型形状の観察窓が設けられて本体内の縦方向及び横方向を視認するようにしたキャピラリ電気泳動装置が提供される。
【００６１】
○Ｌ型配置の特徴を生かしポンプユニットから恒温槽までを一列に配置し本体内の空間を最小限にすると共に、恒温槽の扉を最大限に開放させ（開放後向上）操作性を向上させた。
【００６２】
○本体庫内状況の確認がまじかで行え内部メカの動きやゲルユニットあるいはオートサンプラーユニット内に入り込む気泡等の確認が近距離で内部照明も必要とせず目視が可能となった。
【００６３】
○従来ゲルユニット部とオートサンプラーの両方に独立した確認窓を必要としていたものに対し、操作やサンプルの流れに沿って主要な確認部のみに連続したＬ型の観察窓を装置に接近してもうけ、従来覗き込み等を必要としていた確認作業を向上させた。
【００６４】
○無駄な空間を極力省き庫内オートサンプラーユニット周りの熱の滞留をなくす事で試料温度の均一化をはかることで安定した検査データを得ることを可能とした。
【００６５】
○従来観察窓を設けた場合、電磁波によるデータに影響があった。透明窓の内部に金属のメッシュをラミネートし電磁シールドを可能とした、またシースルーの状態をつくり内部をも確認可能とした。また、検査の流れを明確に確認可能とした。
【００６６】
次に、図１３にパッケージ化されたキャピラリの１例を示す。図において、キャピラリ６６はキャピラリアレー６７、その一端側に設けられるピペッティング部６８、および他端側に設けられる測光部６９からなり、台板１１１に少なくともキャピラリアレー６７を真空パックラミネート１１２としてカートリッジ化され、耐熱パックカートリッジキャピラリとされている。そして、台板１１１の下部にピペッティング部６８を、そして側部に測光部６９を位置せしめている。キャピラリアレー６７の先端はバッファータンク６４に浸される。台板１１１の四隅には恒温槽５１に取り付けるガイド穴１１３が設けてあり、恒温槽５１にもキャピラリ６６を取り付けるフックが設けてあり、簡易的に装着される。
【００６７】
図１４は台板１１１に少なくともキャピラリアレー６７を真空ラミネート１１２としてカートリッジ化され、台板１１１の上部に測光部６９を、そして下部にピペッティング部６８を位置せしめ、キャピラリアレーを上下に直線的に配設した例を示す。台板１１１を透明にして透明パックすることもできる。この構成によれば内部を確認することができる。尚、恒温槽５１は、約５０℃に設定されるようになっており、キャピラリはこの温度に耐えるものであることが必要とされる。このような温度に耐えることをここでは耐熱性と称する。
【００６８】
図１５に図１３の構成に類似するが、ラミネート材を介在させてキャピラリアレー６７を多層化して真空パックラミネート１１２としてカートリッジ化した耐熱パックカートリッジキャピラリ６６を示す。
【００６９】
図１６に、図１５に示す耐熱パックカートリッジキャピラリ６６を装置内恒温槽５１にセットする例を示す。恒温槽５１に設けたフック１１４にガイド穴１１３が嵌められて耐熱パックカートリッジキャピラリ６６が装着される。勿論図１３，図１４に示す耐熱パックカートリッジキャピラリも装着することができる。
【００７０】
この構成によれば、本体内部に、キャピラリとその恒温槽、キャピラリの測に隣接し、該測にレーザ光を照射する光学系、レーザ光を発振するレーザヘッドとそのレーザ電源、キャピラリにゲルを注入するポンプユニット、および恒温槽の下部に配設され、キャピラリに試料を供給するオートサンプラー、サンプルトレイを備え、キャピラリにパッケージ化された耐熱パックカートリッジキャピラリが使用され、該耐熱パックカートリッジキャピラリは恒温槽内にパッケージ化された状態に装着されるキャピラリ電気泳動分析装置が提供される。
【００７１】
また、耐熱パックカートリッジキャピラリは、恒温槽に取り付けるためのガイド穴部を有し、かつ恒温槽には本体に取り付けるためのフックが設けてあるキャピラリ電気泳動分析装置が提供される。
【００７２】
またこの場合に、ポンプユニットと光学系と恒温槽とが一列に配置された形体を有するキャピラリ電気泳動分析装置が提供される。
【００７３】
図１７は、中空パック型の耐熱パックカートリッジキャピラリを示す。このキャピラリ６６は、キャピラリアレー６７と、その一端側に設けられるピペッティング部６８と、および他端側に設けられる測６９とからなりキャピラリアレー６７を、合体することが可能で、合体したときに内部に中空を形成する２つの台板１２１，１２２の該中空１２３にパックしてカートリッジ化して耐熱パックカートリッジキャピラリとしている。台板１２１には突起１２４が設けてあり、台板１２２には突起１２４が嵌る固着穴１２５が設けてあり、矢印のように閉じると突起１２４と固着穴１２５は合体して一体化される。突起部１２４および固着穴１２５のような嵌め込み部は少なくともそれぞれ２つ形成され、一方の台板に突起部が形成されて、該突起部にキャピラリアレーが引っかけられ、他方の台板に前記突起部の嵌め込み部が形成されて両台板を合体させて耐熱パックカートリッジキャピラリが提供される。
【００７４】
図１８は、側方に測光部６９を設けた中空パック型のキャピラリ６６で、キャピラリアレー６７を（イ）ケース２００〜３６０mm、（ロ）ケース５００mm、
（ハ）ケース８００〜９００mmにした例を示す。キャピラリアレー６７の長さによって２つの突起１２４，１２４′に対する配設を変える。
【００７５】
図１９は、図１８（ハ）の耐熱パックカートリッジキャピラリ６６を恒温槽５１にセットした例を示す。他の構成は図１７に示す例と同じである。カートリッジ型キャピラリによれば、従来はキャピラリ本体を箱から出し、作業者がオーブン内に丁寧にセットしなければならず、装着には熟練を必要とし作業が難しく時間を要していたが、本発明によるキャピラリによれば次のような効果が達成される。
【００７６】
○キャピラリ本体をパック型とし簡易にオーブンに装着が可能になる。
○それぞれのパック四隅にオーブンに取り付けるガイド穴が設け、オーブンにもそれを取り付けるフックがありガイドとして簡易的に装着が可能になる。
○キャピラリ本体には検査や検体数により長さの種類が４種類ありその長さに対応させるガイドフックをパッケージ内二箇所に設け調節と内部でキャピラリが暴れない工夫およびパッケージ全体の強度等の補強材とした機能を持たせることができる。
【図面の簡単な説明】
【００７７】
【図１】本発明の実施例のシステム構成図。
【図２】本発明の実施例の表側斜視図。
【図３】本発明の実施例の裏側斜視図。
【図４】配置構成図。
【図５】恒温槽の扉を開いた状態での装置内部配列図。
【図６】キャピラリの１例を示す図。
【図７】恒温槽の扉を閉じた状態での装置内部配列図。
【図８】本発明の実施例の側断面図。
【図９】観察窓構成を示す斜視図。
【図１０】視認性の確保を説明するための図。
【図１１】図１０の一部詳細図。
【図１２】操作性を説明するための図。
【図１３】本発明の実施例のキャピラリの１例を示す斜視図。
【図１４】他のキャピラリの例を示す斜視図。
【図１５】他のキャピラリの例を示す斜視図。
【図１６】恒温槽にキャピラリを組み込む例を示す図。
【図１７】他のキャピラリの例を示す斜視図で、（イ）は１側にキャピラリを装着した例を示す図、（ロ）は開閉可能とされた中空パックを構成を作るための図。
【図１８】中空パックカートリッジキャピラリの変形例を（イ）（ロ）（ハ）のケースで示す図。
【図１９】図１８（ハ）ケースを恒温槽に組み込んだ例を示す図。
【符号の説明】
【００７８】
１…キャピラリ電気泳動本体部（本体）、２…画面入出力処理装置、４…カバー、１１…前面左カバー、１２…前面右カバー、１３…Ｌ型形状部、１４…下部カバー、１５…下カバー、１６…頭部カバー、１７…側部カバー、１８…後部カバー、３１，３２…観察窓、３３…縦面カバー部、３４…横面カバー部、５１…恒温槽（オーブン）、５２…光学系、５３…レーザヘッド、５４…レーザ電源、５５…ポンプユニット、５６…オートサンプラー、６１…恒温槽扉、６２…オートサンプラーＸＹＺ軸、６３…サンプルトレイ、６４…バッファタンク、６６…キャピラリ、６７…キャピラリアレー、６８…ピペティング部、６９…測光部、７０…ゲルブロック、７１…ゲル注入シリンジ、７２…リザーバーシリンジ、７３…バッファージャー、７４…バッファージャートレイ、７７…中空キャピラリ、８０…制御ボックス、１１２…真空パックラミネート、１１３…ガイド穴、１１４…フック、１２１，１２２…台板、１２３…中空、１２４…突起、１２５…固着穴。
【図１】
2006258823.tif 000003
【図２】
2006258823.tif 000004
【図３】
2006258823.tif 000005
【図４】
2006258823.tif 000006
【図５】
2006258823.tif 000007
【図６】
2006258823.tif 000008
【図７】
2006258823.tif 000009
【図８】
2006258823.tif 000010
【図９】
2006258823.tif 000011
【図１０】
2006258823.tif 000012
【図１１】
2006258823.tif 000013
【図１２】
2006258823.tif 000014
【図１３】
2006258823.tif 000015
【図１４】
2006258823.tif 000016
【図１５】
2006258823.tif 000017
【図１６】
2006258823.tif 000018
【図１７】
2006258823.tif 000019
【図１８】
2006258823.tif 000020
【図１９】
2006258823.tif 000021